(57)【要約】
【課題】  物（例えば紙面等）に描かれた図形等を彩色して仕上げる場合に、図形等の境界部分や広い部分の彩色を簡単に行い綺麗に見せる。
【解決手段】  本考案は、透明のシート（ＯＨＰシート等）１を用いることにより、透明のシート（ＯＨＰシート等）１の背面に白色を含め色のついたもしくは任意に彩色した物（例えば紙等）２を置いて重ねたり、透明のシート（ＯＨＰシート等）１と物（例えば紙等）２で彩色関係を工夫して色をつける等して、図形の境界部分や広い部分の彩色を簡単に綺麗な仕上がりとする。
【選択図】  図１
0003100651.tif 000002
【実用新案登録請求の範囲】
【請求項１】
図形等を描画やプリント（プリンターやコピー他）した透明のシート（ＯＨＰシート等）を、白色を含め色のついている物（紙や布他）の上に重ね合わせることにより作成した彩色物
【考案の詳細な説明】
【技術分野】
【０００１】  本考案は、透明のシート（ＯＨＰシート等）を利用して作成する彩色物に関するものである。
【背景技術】
【０００２】  物（例えば紙等）に描かれた図形等に色をつけて彩色されたものにする場合、その物の上で、図形にそって丁寧に塗り分けていた。
【考案の開示】
【考案が解決しようとする課題】
【０００３】  図形等が描かれた物（例えば紙等）の上で色を塗り分けていく場合、境界部分の彩色が難しい。また広い部分を彩色するとき塗りむらができてしまったりする。透明のシート（ＯＨＰシート等）を利用することにより、前述の彩色時の困難を解決しようとするものである。
【課題を解決するための手段】
【０００４】  本考案は、透明のシート（ＯＨＰシート等）を利用することにより、彩色物を簡単に綺麗にに作成するものである。図形等を透明のシート（ＯＨＰシート等）に描画もしくはプリント（プリンターやコピー等）し、白色を含め色のついているもしくは任意に彩色した物（例えば紙等）の上に重ね合わせることにより、前述の彩色時の困難を解決している。
【考案の効果】
【０００５】  図形の境界部分の彩色や広い部分の彩色が簡単に綺麗に仕上がる。特に、図形等を意識して彩色する場合、その境界部分において色塗りがはみ出していても、仕上がりにおいては境界が鮮明に見える。また、透明のシート（ＯＨＰシート等）と重ね合わせることにより立体感（奧行き感）が感じられる作品となり、手軽でありながら綺麗な仕上がりが期待できる。
【考案の実施するための最良の形態】
【０００６】  図形等をそのままであるいはネガポジ反転して透明のシート（ＯＨＰシート等）に描画やプリント（プリンターやコピー他）し、その背面に白色を含め色のついているもしくは任意に彩色した物（例えば紙等）を置いて重ね合わせる、もしくは透明のシート（ＯＨＰシート等）上の図形と同じ図形を物（例えば紙等）に描画やプリント（プリンターやコピー他）しておき、その物（例えば紙等）の上に図形を意識しながら彩色を施し、これを透明のシート（ＯＨＰシート等）の背面に置いて重ね合わせる、もしくは透明のシート（ＯＨＰシート等）と物（例えば紙等）で片方はそのままでもう片方はネガポジ反転して彩色（プリンターやコピー機等を利用するなどして）して重ね合わせる。その他の応用は工夫次第である。
【実施例】
【０００７】  以下、添付図面に従って実施例を説明する。１は図形を描画やプリント（プリンターやコピー他）した透明のシート（ＯＨＰシート等）である。２は白色を含め色のついているもしくは任意に彩色した物（例えば紙等）である。３はＯＨＰシート等の透明のシートに描画やプリント（プリンターやコピー他）された図形（白黒やカラー）である。１を上にして２を背面に置いて重ね合わせることにより綺麗な彩色物ができ上がる。
【図面の簡単な説明】
【０００８】
【図１】図形を描画やプリント（プリンターやコピー他）したＯＨＰシート等の透明のシートと白色を含め色のついている物（例えば紙等）を重ね合わせたものである。
【符号の説明】
【０００９】  １  透明のシート（ＯＨＰフィルム等）
２  白色を含め色のついている物（例えば紙等）
３  透明のシート（ＯＨＰフィルム等）上の図案
【図１】
0003100651.tif 000003
【手続補正書】
【提出日】平成15年11月10日(2003.11.10)
【手続補正１】
【補正対象書類名】実用新案登録請求の範囲
【補正対象項目名】全文
【補正方法】変更
【補正の内容】
【実用新案登録請求の範囲】
【請求項１】
図形等を描画やプリンターやコピー等によりプリントした透明のＯＨＰシート等のシートを、白色を含め色のついている紙や布等の上に重ね合わせることにより作成した彩色物。
【手続補正２】
【補正対象書類名】明細書
【補正対象項目名】全文
【補正方法】変更
【補正の内容】
【考案の詳細な説明】
【技術分野】
【０００１】
本考案は、ＯＨＰシート等の透明のシートを利用して作成する彩色物に関するものである。
【背景技術】
【０００２】
例えば紙等の物に描かれた図形等に色をつけて彩色する場合、従来は通常、その物の上で、図形にそって丁寧に塗り分けていた。
【考案の開示】
【考案が解決しようとする課題】
【０００３】
図形等が描かれた例えば紙等の物の上で色を塗り分けていく場合、境界部分の彩色が難しい。また広い部分を彩色するとき塗りむらができてしまったりする。本考案は、このような従来の実情に鑑み、ＯＨＰシート等の透明のシートを利用することにより、前述の彩色時の困難を解決しようとするものである。
【課題を解決するための手段】
【０００４】
本考案は、ＯＨＰシート等の透明のシートを利用することにより、彩色物を簡単に綺麗に作成するものである。即ち本考案は、図形等を透明のシート（ＯＨＰシート等）に描画もしくはプリント（プリンターやコピー等）し、白色を含め色のついているもしくは任意に彩色した物（例えば紙等）の上に重ね合わせることにより、前述の彩色時の困難を解決している。
【考案の効果】
【０００５】
本考案によれば、図形の境界部分の彩色や広い部分の彩色が簡単に綺麗に仕上がる。特に、図形等を意識して彩色する場合、その境界部分において色塗りがはみ出していても、仕上がりにおいては境界が鮮明に見える。また透明のシート（ＯＨＰシート等）と重ね合わせることにより立体感（奥行き感）が感じられる作品となり、手軽でありながら綺麗な仕上がりが期待できる。
【考案を実施するための最良の形態】
【０００６】
図形等をそのままであるいはネガポジ反転して透明のシート（ＯＨＰシート等）に描画やプリント（プリンターやコピー他）し、その背面に白色を含め色のついているもしくは任意に彩色した物（例えば紙等）を置いて重ね合わせる、もしくは透明のシート（ＯＨＰシート等）上の図形と同じ図形を物（例えば紙等）に描画やプリント（プリンターやコピー他）しておき、その物（例えば紙等）の上に図形を意識しながら彩色を施し、これを透明のシート（ＯＨＰシート等）の背面に置いて重ね合わせる、もしくは透明のシート（ＯＨＰシート等）と物（例えば紙等）で片方はそのままでもう片方はネガポジ反転して彩色（プリンターやコピー機等を利用するなどして）して重ね合わせる。その他の応用は工夫次第である。
【実施例】
【０００７】
以下、添付図面に従って実施例を説明する。１は図形を描画やプリント（プリンターやコピー他）した透明のシート（ＯＨＰシート等）である。２は白色を含め色のついているもしくは任意に彩色した物（例えば紙等）である。３はＯＨＰシート等の透明のシートに描画やプリント（プリンターやコピー他）された図形（白黒やカラー）である。透明のシート１を上にして紙等の物２を背面に置いて重ね合わせることにより綺麗な彩色物ができ上がる。
【図面の簡単な説明】
【０００８】
【図１】本考案の好適な一実施形態を示す構成図である。
【符号の説明】
【０００９】
１    透明のシート（ＯＨＰシート等）
２    白色を含め色のついている物（例えば紙等）
３    透明のシート（ＯＨＰシート等）上の図案